【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
画素が行列状に配列される画素アレイ部における１つの特定の画素列に対応して設けられ、一方の入力信号として、対応する前記画素列において行走査により選択された画素から出力されるアナログの画素信号を入力し、他方の入力信号として、前記画素信号においてリセットレベルが得られるリセット期間と受光量に応じた信号レベルが得られる信号期間とに対応して所定の傾きによるランプ波形となる信号であって、画素データに対して指定されるゲインに応じて前記傾きが変更される参照信号を入力して比較する第１の比較部と、
前記リセット期間が開始してから前記第１の比較部の出力が反転するまでのリセット期間内カウント期間と、前記信号期間が開始してから前記第１の比較部の出力が反転するまでの信号期間内カウント期間とにおいてカウント動作を実行する第１のカウント部と、
前記第１のカウント部が実行した前記リセット期間内カウント期間と前記信号期間内カウント期間のカウント動作により得られるカウント値に基づいてデジタル形式による前記画素データを出力する第１のデータ出力部と、
電源電圧とは異なる所定の電圧値を有して所定の回路に供給されるべきローカル電圧を生成するとともに、温度変化に応じて変動するものとして生成される温度対応電圧値を、指定されるゲインに応じた比率により変更した温度信号を生成するローカル電圧／温度信号生成部と、
前記一方の入力信号として、前記温度信号を入力し、前記他方の入力信号として、前記ランプ波形となる参照信号を入力して比較する第２の比較部と、
前記リセット期間が開始してから前記第２の比較部の出力が反転するまでのリセット期間内カウント期間と、前記信号期間が開始してから前記第１の比較部の出力が反転するまでの信号期間内カウント期間とにおいてカウント動作を実行する第２のカウント部と、
前記第２のカウント部が実行した前記リセット期間内カウント期間と前記信号期間内カウント期間のカウント動作により得られるカウント値に基づいてデジタル形式による温度データを出力する第２のデータ出力部と
を具備する温度情報出力装置。
【請求項２】
前記ローカル電圧生成部は、所定数の抵抗の直列接続の両端電圧として前記温度対応電圧値を生成し、指定されるゲインに応じて前記抵抗の直列接続に対して設定する分圧点を変更して、当該分圧点から前記温度信号を出力する
請求項１記載の温度情報出力装置。
【請求項３】
前記第２の比較部は、前記第１の比較部が対応する画素列とは異なる１つの特定の画素列に対応して設けられるものであり、この対応する特定の画素列から出力される前記画素信号に代えて前記温度信号を入力する
請求項１記載の温度情報出力装置。
【請求項４】
前記第２の比較部が対応する特定の画素列は、前記画素アレイ部において設定されている領域のうち、その画素信号が画像処理に利用されない無効な画素から成る画像処理無効領域内の画素列である
請求項３記載の温度情報出力装置。
【請求項５】
所定の単位期間ごとにおいて前記第２のデータ出力部から出力される複数の温度データに基づいて、前記所定の単位期間ごとに対応した温度を示す期間対応温度データを生成する
請求項４記載の温度情報出力装置。
【請求項６】
前記所定の単位期間はフレーム期間に基づいた期間である
請求項５記載の温度情報出力装置。
【請求項７】
光が入射される光学系と、
前記光学系に入射された光を受光する画素が行列状に配列される画素アレイ部と、
前記画素アレイ部の画素にて得られる信号に基づいて生成される画素データに対して与えるゲインを指定するゲイン指定部と、
前記画素信号のリセット期間と信号期間とに対応して所定の傾きによるランプ波形となる信号であって、前記ゲイン指定部により指定されたゲインに応じて前記傾きが変更される参照信号を生成する参照信号生成部と、
前記リセット期間が開始してから前記第１の比較部の出力が反転するまでのリセット期間内カウント期間と、前記信号期間が開始してから前記第１の比較部の出力が反転するまでの信号期間内カウント期間とにおいてカウント動作を実行する第１のカウント部と、
前記第１のカウント部が実行した前記リセット期間内カウント期間と前記信号期間内カウント期間のカウント動作により得られるカウント値に基づいてデジタル形式による前記画素データを出力する第１のデータ出力部と、
電源電圧とは異なる所定の電圧値を有して所定の回路に供給されるべきローカル電圧を生成するとともに、温度変化に応じて変動するものとして生成される温度対応電圧値を、指定されるゲインに応じた比率により変更した温度信号を生成するローカル電圧／温度信号生成部と、
前記一方の入力信号として、前記温度信号を入力し、前記他方の入力信号として、前記ランプ波形となる参照信号を入力して比較する第２の比較部と、
前記リセット期間が開始してから前記第２の比較部の出力が反転するまでのリセット期間内カウント期間と、前記信号期間が開始してから前記第１の比較部の出力が反転するまでの信号期間内カウント期間とにおいてカウント動作を実行する第２のカウント部と、
前記第２のカウント部が実行した前記リセット期間内カウント期間と前記信号期間内カウント期間のカウント動作により得られるカウント値に基づいてデジタル形式による温度データを出力する第２のデータ出力部と
を具備する撮像装置。
【請求項８】
前記温度データに基づいて所定の補正対象についての補正処理を実行する補正処理部をさらに備える
請求項７記載の撮像装置。
【請求項９】
前記ゲイン指定部は、自動露出制御により判定される露出に応じて、指定すべき前記ゲインを決定する
請求項７記載の撮像装置。
【請求項１０】
画素が行列状に配列される画素アレイ部における１つの特定の画素列に対応して設けられ、一方の入力信号として、対応する前記画素列において行走査により選択された画素から出力されるアナログの画素信号を入力し、他方の入力信号として、前記画素信号のリセット期間と信号期間とに対応して所定の傾きによるランプ波形となる参照信号を入力して比較する第１の比較部と、
前記リセット期間が開始してから前記第１の比較部の出力が反転するまでのリセット期間内カウント期間と、前記信号期間が開始してから前記第１の比較部の出力が反転するまでの信号期間内カウント期間とにおいてカウント動作を実行する第１のカウント部と、
前記第１のカウント部が実行した前記リセット期間内カウント期間と前記信号期間内カウント期間のカウント動作により得られるカウント値に基づいてデジタル形式による前記画素データを出力する第１のデータ出力部と、
電源電圧とは異なる所定の電圧値を有して所定の回路に供給されるべきローカル電圧を生成するとともに、温度変化に応じて変動するものとして生成される温度対応電圧値を、指定されるゲインに応じた比率により変更した温度信号を生成するローカル電圧／温度信号生成部と、
前記一方の入力信号として、前記温度信号を入力し、前記他方の入力信号として、前記ランプ波形となる参照信号を入力して比較する第２の比較部と、
前記リセット期間が開始してから前記第２の比較部の出力が反転するまでのリセット期間内カウント期間と、前記信号期間が開始してから前記第１の比較部の出力が反転するまでの信号期間内カウント期間とにおいてカウント動作を実行する第２のカウント部と、
前記第２のカウント部が実行した前記リセット期間内カウント期間と前記信号期間内カウント期間のカウント動作により得られるカウント値に基づいてデジタル形式による温度データを出力する第２のデータ出力部と
を具備する温度情報出力装置。
【請求項１１】
画素が行列状に配列される画素アレイ部における１つの特定の画素列に対応して設けられ、一方の入力信号として、対応する前記画素列において行走査により選択された画素から出力されるアナログの画素信号を入力し、他方の入力信号として、前記画素信号のリセット期間と信号期間とに対応して所定の傾きによるランプ波形となる信号であって、画素データに対して指定されるゲインに応じて前記傾きが変更される参照信号を入力して比較する第１の比較手順と、
前記リセット期間が開始してから前記第１の比較手順により得られる出力が反転するまでのリセット期間内カウント期間と、前記信号期間が開始してから前記第１の比較手順により得られる出力が反転するまでの信号期間内カウント期間とにおいてカウント動作を実行する第１のカウント手順と、
前記第１のカウント手順が実行した前記リセット期間内カウント期間と前記信号期間内カウント期間のカウント動作により得られるカウント値に基づいてデジタル形式による前記画素データを出力する第１のデータ出力手順と、
電源電圧とは異なる所定の電圧値を有して所定の回路に供給されるべきローカル電圧を生成するとともに、温度変化に応じて変動するものとして生成される温度対応電圧値を、指定されるゲインに応じた比率により変更した温度信号を生成するローカル電圧／温度信号生成手順と、
前記一方の入力信号として、前記温度信号を入力し、前記他方の入力信号として、前記ランプ波形となる参照信号を入力して比較する第２の比較手順と、
前記リセット期間が開始してから前記第２の比較手順により得られる出力が反転するまでのリセット期間内カウント期間と、前記信号期間が開始してから前記第１の比較手順により得られる出力が反転するまでの信号期間内カウント期間とにおいてカウント動作を実行する第２のカウント手順と、
前記第２のカウント手順が実行した前記リセット期間内カウント期間と前記信号期間内カウント期間のカウント動作により得られるカウント値に基づいてデジタル形式による温度データを出力する第２のデータ出力手順と
を具備する温度情報出力方法。
【手続補正２】
【補正対象書類名】明細書
【補正対象項目名】００５４
【補正方法】変更
【補正の内容】
【００５４】
なお、以降においては、カラムＡＤＣ部２３０において、撮像信号データＤｖを出力する単位ＡＤＣ２４０−１〜２４０−（ｍ−１）については「画像用単位ＡＤＣ」と称する場合がある。また、温度データＤｔを出力する単位ＡＤＣ２４０−ｍについては「温度用単位ＡＤＣ」とも称する。これにより前者と後者の単位ＡＤＣを区別する。また、画像用単位ＡＤＣにおけるコンパレータ２４１−１〜２４１−ｍ、カウンタ２４２−１〜２４２−ｍについては、それぞれ「画像用コンパレータ」「画像用カウンタ」ともいう場合がある。また、温度用単位ＡＤＣ２４０−ｍにおけるコンパレータ２４１−ｍ、カウンタ２４２−ｍについては、それぞれ「温度用コンパレータ」「温度用カウンタ」ともいう場合がある。
【手続補正３】
【補正対象書類名】明細書
【補正対象項目名】０１０７
【補正方法】変更
【補正の内容】
【０１０７】
すなわち、温度用単位ＡＤＣ２４０−ｍの構成としては、コンパレータ２４１−ｍの一方の入力端子に対して画素信号Ｖｘに代えて温度信号Ｖｔｅｍｐが入力される点のみが画像用ＡＤＣ２４０−１〜２４０−（ｍ−１）側と異なっている。前述したように、温度用単位ＡＤＣ２４０−ｍの構成およびその動作自体は、例えば図４により説明した画像用単位ＡＤＣ２４０−１〜２４０−（ｍ−１）と同じになる。ただし、温度用単位ＡＤＣ２４０−ｍの出力は、撮像信号データＤｖではなく、電圧ＶＰＴＡＴをデジタル変換したものとしてみることのできる温度データＤｔとなる。
【手続補正４】
【補正対象書類名】明細書
【補正対象項目名】０１５５
【補正方法】変更
【補正の内容】
【０１５５】
ここで、図１１（ａ）において時刻ｔ７から時刻ｔ９までの区間であるD相期間に着目する。Ｄ相期間は、カウンタ２４２がアップカウントを実行可能な期間であり、この期間において参照信号ＲＡＭＰはランプ波形により時間経過に従って低減していく。このとき時刻ｔ７から時刻ｔ８までの区間として示されるＤ相カウント期間の時間長は、参照信号ＲＡＭＰのランプ波形の傾きと、画素信号Ｖｘの信号レベルによって決まる。この図１１（ａ）において得られたＤ相カウント期間の時間長を、ここではＴ１として表す。
【手続補正５】
【補正対象書類名】明細書
【補正対象項目名】０１７０
【補正方法】変更
【補正の内容】
【０１７０】
そしてこの場合には、上記したスイッチＳＷ１１〜ＳＷ１５の切り替えに応じて、これらスイッチＳＷ１１〜ＳＷ１５の他端側（スイッチＳＷ１の端子ｔｍ２）に得られる電圧が、設定されたゲインごとに応じた電圧ＶＰＴＡＴとなる。すなわち、本発明の第２の実施の形態においては、電圧ＶＰＴＡＴは、設定されるゲインに応じて変更されるようにして制御される。